(57)【要約】【課題】光ディスクの識別情報と記録速度に応じた記録位置に対する記録パワー感度係数を基に、最適記録パワーを設定する光ディスクドライブとその記録方法を提供する。【解決手段】光ディスク１を識別する識別情報と、光ディスク１における記録速度と記録位置とによる最適記録パワーの変化を表す記録感度係数とを含む記録パワー制御情報を記憶する記憶手段２０と、光ディスク１の識別情報を検出する識別情報検出手段３０と、記録速度を設定する速度設定手段５０と、記録位置を検出する記録位置検出手段４０と、各検出手段により検出された各検出データを基に、記憶手段３０から読み出された記録パワー制御情報に対応して記録パワーを制御する記録パワー制御手段１０とを有する。【選択図】      図１
2010118117.tif 000002
【特許請求の範囲】
【請求項１】
レーザ光により、記録情報を表すマークおよびスペースを光ディスクに形成し、情報の記録あるいは再生を行う光ディスクドライブであって、
前記光ディスクを識別する識別情報と、前記光ディスクにおける記録速度と記録位置とによる最適記録パワーの変化を表す記録感度係数とを含む記録パワー制御情報を記憶する記憶手段と、
前記光ディスクの前記識別情報を検出する識別情報検出手段と、
前記記録速度を設定する速度設定手段と、
前記記録位置を検出する記録位置検出手段と、
前記各検出手段により検出された各検出データを基に、前記記憶手段から読み出された前記記録パワー制御情報に対応して記録パワーを制御する記録パワー制御手段とを有し、
前記光ディスクの識別情報と記録速度に応じた、記録位置に対する記録感度係数を基に、前記記録位置の最適記録パワーを設定することを特徴とする光ディスクドライブ。
【請求項２】
前記記録パワー感度係数は、前記光ディスクの前記記録速度において、前記光ディスクのＯＰＣ（Ｏｐｔｉｍｕｍ  Ｐｏｗｅｒ  Ｃｏｎｔｒｏｌ）設定位置で求められた最適記録パワーに対する、前記各記録位置の最適記録パワーの比で表されることを特徴とする請求項１に記載の光ディスクドライブ。
【請求項３】
前記記録位置は、光ピックアップの前記光ディスクの径方向の位置、又はセクタアドレスで表されることを特徴とする請求項１に記載の光ディスクドライブ。
【請求項４】
レーザ光により、記録情報を表すマークおよびスペースを光ディスクに形成し、情報の記録あるいは再生を行う光ディスクドライブの記録方法であって、
前記光ディスクの識別情報を検出するステップと、
前記光ディスクの記録速度を設定するステップと、
前記光ディスクの記録位置を検出するステップと、
前記識別情報と、前記記録速度と前記記録位置とによる最適記録パワーの変化を表す記録パワー感度係数とを含む記録パワー制御情報を記憶手段から読み出すステップと、
前記検出された各検出データと、前記読み出された前記記録パワー制御情報の識別情報と記録速度に応じた記録位置に対する記録感度係数とを基に、前記記録位置の最適記録パワーを算出するステップと、
前記最適記録パワーを基に記録パワーを補正するステップと、
を含むことを特徴とする光ディスクドライブの記録方法。
【発明の詳細な説明】
【技術分野】
【０００１】
本発明は、光ディスクに情報を記録するための記録品質に係り、詳しくは、光ディスクの識別情報と記録速度に応じた記録位置に対する記録パワー感度係数を基に、最適記録パワーを設定する光ディスクドライブとその記録方法に関する。
【背景技術】
【０００２】
光ディスクへの情報の記録は、ＰＣ（Ｐｅｒｓｏｎａｌ  Ｃｏｍｐｕｔｅｒ）等から与えられた記録情報をＥＦＭ（Ｅｉｇｈｔ  ｔｏ  Ｆｏｕｒｔｅｅｎ  Ｍｏｄｕｌａｔｉｏｎ）信号に変換して行なわれるが、使用する光ディスクの組成の違いから、記録媒体の蓄熱や冷却速度の不足に起因するマークの形成不良等の問題が生じるために、ＥＦＭ信号をそのまま記録しようとしても、所望のマークやスペースを形成できない。
【０００３】
そのため、基準となる記録波形に対して、使用する個々の光ディスクに固有の記録パラメータ（ライトストラテジ）を定めて、良好な記録品質を維持する方式が採用されている。さらに、光ディスクの記録位置の変化に伴いアシンメトリ（β）が変化することによる読み取りミスや、再書き込みの発生を防ぐため、記録位置により記録パワーを変化させ、所望のβ値を得る工夫がなされている。
【０００４】
βは、光ディスクにデータを記録したときのマーク・スペースを読み出した再生信号（ＲＦ信号）のアシンメトリを意味する。図２は、読み出されたＲＦ信号の信号波形図である。基準となるＲＦｒｅｆレベルからピークまでの波高値をＡ１、ボトムまでの波高値をＡ２とすると、β値は次式で表される。
β（％）＝［（Ａ１−Ａ２）／（Ａ１＋Ａ２）］×１００        （１）
【０００５】
図３は、デュアルディスクにおいて、固定記録パワーによる記録位置とβとの関係を示す記録位置対β値図である。図３において、記録速度Ｘ６ＣＬＶ（Ｃｏｎｓｔａｎｔ  Ｌｉｎｅａｒ  Ｖｅｌｏｃｉｔｙ）で回転している光ディスクの光ピックアップに近い側の記録層（Ｌ０）の所定のアドレスに、固定記録パワーにより所定のデータを記録し、各アドレスに記録されたデータに対するβ値が測定される。測定されたβ値は、光ディスクの内周部のアドレス３００００ｈ（ｈは１６進数であることを示す）から、外周部のアドレス２２８０００ｈに対応してプロットされている。
【０００６】
β値は、光ディスクの内周部のアドレス４２０００ｈから６６０００ｈ辺りにおいて、記録パワーの過剰を示すプラス側に急峻なピークを有している。これは光ディスクの媒体に起因するものであり、サーボ改善などによりピークを無くすることは困難である。また、中央部のアドレスＤ２０００ｈから１８６０００ｈ辺りにおいて、記録パワーの過少を示すマイナス側に比較的なだらかなピークを有している。これは記録条件（記録速度およびサーボ定数の設定）に起因するもので、デュアルディスクのＬ０層側に発生しやすく、サーボ定数の調整によりピークを無くすことが可能であるが、サーボ定数の設定が非常に微妙であり、完全にピークを無くすのは困難である。
【０００７】
図４は、記録速度Ｘ６ＣＬＶにおいてスキップＯＰＣにより記録パワーを制御した場合の記録位置とβとの関係を示す記録位置対β値図である。スキップＯＰＣ（Ｏｐｔｉｍｕｍ  Ｐｏｗｅｒ  Ｃｏｎｔｒｏｌ）は、光ディスクの面内記録パワー感度差によるβの変動を無くすため、規定のアドレスに対するデータ記録の後、一旦記録を停止し、目標とするβ値になるよう記録パワーを修正して、記録を繰り返す記録パワーの補正方法である。図４において、βの変動が大きい箇所でスキップＯＰＣを行うと、記録パワーの修正ポイントにおいてβに大きな段差が生じ、記録品位が大きく変化するため、読み取りエラーの原因となることもある。
【０００８】
この問題を解消するため、特許文献１には、前もって光ディスクの半径方向についてβ値が所定の値となる記録パワーの感度差を求めて記憶しておき、書き込みを実行する際、この記録パワーの感度差のデータに基づいて記録パワーを補正する旨の記載がある。図５は、特許文献１に基づき、記録速度Ｘ６ＣＬＶにおける半径方向の変化に相当するアドレス毎に記録パワーを制御した場合のアドレスとβとの関係を示す記録位置対β値図である。
【特許文献１】特開２００７−３２３６８７号公報
【０００９】
図５において、記録速度Ｘ６ＣＬＶにおける光ディスクの半径Ｒ＝２３ｍｍ、２９ｍｍ、３５ｍｍ、４１ｍｍ、４７ｍｍ、５３ｍｍ、５８．５ｍｍの７ポイントで所定のβとなる記録パワーを測定し、ＯＰＣで設定した記録パワー（Ｒ＝２３ｍｍ）と他の半径の記録パワーとの比を求めて記録パワー感度係数としている。半径方向の変化に相当するアドレスと記録パワー感度係数との関係は、上記７ポイントにおける記録感度係数を基に直線近似による内挿計算を行い、アドレスと記録パワー係数を関連づけている。これにより、各アドレスにおいて、ＯＰＣで設定した記録パワーにそれぞれの係数を掛け、記録パワーの補正を行って所定のデータを記録し、この記録されたデータに対するβ値が測定され、プロットされている。これによると、記録速度Ｘ６ＣＬＶにおける補正効果は、良好と言える。
【００１０】
図６は、記録速度をパラメータに、固定記録パワーによる記録位置とβとの関係を示す記録位置対β値図である。図６において、記録速度Ｘ４ＣＬＶ、Ｘ６ＣＬＶ及びＸ８ＺＣＬＶ（Ｚｏｎｅ  ＣＬＶ）におけるβ値は、相関はあるものの、互いの値は大きく異なっている。この傾向は、デュアルディスクのＬ０への記録において顕著である。このため、各記録速度に対し光ディスクの半径方向についての記録パワーの補正を行う必要がある。なお、Ｘ８ＺＣＬＶは、アドレス７８０００ｈでＸ６からＸ８に速度変更されている。
【発明の開示】
【発明が解決しようとする課題】
【００１１】
本発明は、このような問題を解決するためになされたものであり、その目的は、光ディスクの識別情報と記録速度に応じた記録位置に対する記録感度係数を基に、最適記録パワーを設定する光ディスクドライブとその記録方法を提供することにある。
【課題を解決するための手段】
【００１２】
本発明の光ディスクドライブは、レーザ光により、記録情報を表すマークおよびスペースを光ディスクに形成し、情報の記録あるいは再生を行う光ディスクドライブであって、光ディスクを識別する識別情報と、光ディスクにおける記録速度と記録位置とによる最適記録パワーの変化を表す記録感度係数とを含む記録パワー制御情報を記憶する記憶手段と、光ディスクの識別情報を検出する識別情報検出手段と、記録速度を設定する速度設定手段と、記録位置を検出する記録位置検出手段と、各検出手段により検出された各検出データを基に、記憶手段から読み出された記録パワー制御情報に対応して記録パワーを制御する記録パワー制御手段とを有し、光ディスクの識別情報と記録速度に応じた、記録位置に対する記録感度係数を基に、記録位置の最適記録パワーを設定することを特徴とする。これにより、光ディスクの識別情報と記録速度に応じて記録位置の最適記録パワーを設定することができる光ディスクドライブが可能となる。
【００１３】
本発明の光ディスクドライブの記録パワー感度係数は、光ディスクの記録速度において、光ディスクのＯＰＣ（Ｏｐｔｉｍｕｍ  Ｐｏｗｅｒ  Ｃｏｎｔｒｏｌ）設定位置で求められた最適記録パワーに対する、各記録位置の最適記録パワーの比で表されることを特徴とする。これにより、光ディスクのＯＰＣ設定位置で求められた最適記録パワーに記録感度係数を積算することで、記録位置の最適記録パワーを設定することができる。
【００１４】
本発明の光ディスクドライブの記録位置は、光ピックアップの光ディスクの径方向の位置、又はセクタアドレスで表されることを特徴とする。これにより、目的に応じて記録位置の設定パラメータを適宜選択することができる。
【００１５】
本発明の光ディスクドライブの記録方法は、レーザ光により、記録情報を表すマークおよびスペースを光ディスクに形成し、情報の記録あるいは再生を行う光ディスクドライブの記録方法であって、光ディスクの識別情報を検出するステップと、光ディスクの記録速度を検出するステップと、光ディスクの記録位置を検出するステップと、識別情報と、記録速度と記録位置とによる最適記録パワーの変化を表す記録感度係数とを含む記録パワー制御情報を記憶手段から読み出すステップと、検出された各検出データと、読み出された記録パワー制御情報の識別情報と記録速度に応じた記録位置に対する記録感度係数とを基に、記録位置の最適記録パワーを算出するステップと、最適記録パワーを基に記録パワー補正データを作成し、出力するステップと、を含むことを特徴とする。これにより、光ディスクの識別情報と記録速度に応じて記録位置の最適記録パワーを設定することができる光ディスクドライブが可能となる。
【発明の効果】
【００１６】
本発明によれば、光ディスクの識別情報と記録速度に応じた記録位置に対する記録パワー感度係数を基に、最適記録パワーを設定することができる光ディスクドライブとその記録方法を提供することが可能となる。
【発明を実施するための最良の形態】
【００１７】
本発明の実施例について図を用いて説明する。図１は、本発明による方法を実行する光ディスクドライブの基本機能ブロック図である。図１において、光ディスクドライブ１００にセットされた光ディスク１は、半導体レーザにより情報の記録、再生、消去（ＲＷおよびＲＡＭのみ）が行える光記録媒体であり、例えばＣＤ−Ｒ、ＣＤ−ＲＷ、ＤＶＤ±Ｒ、ＤＶＤ−ＲＷ、ＤＶＤ−ＲＡＭ等がある。
【００１８】
スピンドルモータ２は、速度設定部５０により速度設定されたスピンドルドライバー６０により所定の記録速度で回転する。光ピックアップ３は、制御部により設定された記録位置においてデータを書き込み、又は書き込まれたデータの読み出しを行なう。ヘッドアンプ４は、光ピックアップ３が光ディスク１から読み出した反射光量によるデータを演算して、ＲＦ信号を生成すると共に、ディスクの識別信号やセクタアドレスを読み取るためのＷｏｂｂｌｅ信号、ＬＰＰ（Ｌａｎｄ  Ｐｒｅ−Ｐｉｔ）信号を生成する。更に光ピックアップ３の半導体レーザの焦点ズレを検出する信号であるフォーカスエラー信号と、トラックズレを検出する信号であるトラッキングエラー信号とを生成し出力する。
【００１９】
識別情報検出手段３０は、ヘッドアンプ４から出力されたＷｏｂｂｌｅ信号もしくはＬＰＰ信号を基に識別情報を検出し、そのデータを記録パワー制御手段１０へ出力する。記録位置検出手段４０は、光ピックアップ３により得られたアドレス情報から記録位置を算出し、この記録位置データを記録パワー制御手段１０へ出力する。
【００２０】
速度設定手段５０は、その設定した記録速度を記録パワー制御手段１０へ出力する。記憶手段２０は、光ディスクを識別する識別情報と、該光ディスクにおける記録速度と記録位置についてβ値が所定の値となる最適記録パワーの変化を表す記録パワー感度係数とを含む記録パワー制御情報を事前に記憶している。
【００２１】
記録パワー制御手段１０は、識別情報検出手段３０、記録位置検出手段４０、及び速度設定手段５０の設定速度に対応して、記憶手段２０から読み出した記録パワー制御情報の識別情報と記録感度係数とを基に各記録位置での最適記録パワーを算出し、記録パワーを補正するデータを出力する。
【００２２】
記録パワー調整部５は、記録パワー制御手段１０から補正のための記録パワー設定データを入力し、記録パワーを補正した修正パワーを光ピックアップ３に内蔵されたレーザ駆動部６に出力する。レーザ駆動部６は、入力した修正パワーに応じて、レーザダイオード駆動用のパルス信号を発生して、光ピックアップ３内の半導体レーザに出力し、半導体レーザは所定のデータを光ディスク１に記録する。次に、上記で説明した記録パワー制御手段１０で行なわれる演算処理について詳しく説明する。
【００２３】
図７は、記録速度と半径位置とに対する記録パワーの感度係数を示す感度係数表である。光ディスクに対応して、記録速度Ｘ４ＣＬＶ、Ｘ６ＣＬＶ及びＸ８ＺＣＬＶにおける光ディスクの半径Ｒ＝２３ｍｍ、２９ｍｍ、３５ｍｍ、４１ｍｍ、４７ｍｍ、５３ｍｍ、５８．５ｍｍの７ポイントで、所定のβとなる記録パワーを測定し、ＯＰＣで設定した記録パワー（Ｒ＝２３ｍｍ）と他の半径の記録パワーとの比を求めて記録感度係数としている。この表のデータは、記憶手段２０に事前に記憶されている。
【００２４】
記録パワー制御手段１０は、識別情報検出手段３０、記録位置検出手段４０、及び速度設定手段５０の検出、設定データに対応して、記憶手段２０から読み出した記録パワー制御情報の識別情報と記録感度係数とを基に各記録位置での最適記録パワーを算出する。この時、半径方向の変化に相当するアドレスと記録感度係数とを関連付けるため、読み出された７ポイントにおける記録感度係数を基に直線近似による内挿計算を行い、アドレスと記録感度係数とを関連づける。また、各記録位置での最適記録パワーは、ＯＰＣで設定した記録パワーに各アドレスにおける記録感度係数を乗算し、最適記録パワーを得る。
【００２５】
図８−１０は、図７を基にそれぞれ記録速度Ｘ４ＣＬＶ、Ｘ６ＣＬＶ及びＸ８ＺＣＬＶにおいて、半径方向の変化に相当するアドレス毎に記録パワーを補正した場合のアドレスとβとの関係を示す記録位置対β値図である。図８−１０において、各記録速度に対応したβ値の変動から、記録速度に合った記録感度係数を使用したときの記録パワーの補正効果が良好であることが確認できる。
【００２６】
図１１は、記録速度Ｘ６ＣＬＶにおいて、各アドレス毎にＸ４での記録感度係数を使用して記録パワーを制御した場合と、Ｘ６での記録感度係数を使用して記録パワーを制御した場合のアドレスとβとの関係を示す記録位置対β値図である。どちらもスキップＯＰＣが適用されているが、Ｘ６での記録感度係数を使用したものの方がスキップＯＰＣ適用ポイントで発生するβの段差が小さくなっている。
【００２７】
図１２は、本発明の光ディスクドライブの記録方法を示すフローチャートである。図１２において、光ディスクドライブ１００は、記録パワー補正動作を開始し、光ディスク１からディスク識別情報を検出する（ステップ１００、ステップ１１０）。次に記録速度を設定する（ステップ１２０）。ディスク識別情報と、記録速度と記録位置とによる最適記録パワーの変化を表す記録感度係数とを含む記録パワー制御情報を記憶手段から読み出す（ステップ１３０）。記録を開始する（ステップ１４０）。光ディスクの記録位置を検出する（ステップ１５０）。設定された記録速度と、検出された記録位置データと、読み出された記録感度係数とを基に、現記録位置の最適記録パワーを算出する（ステップ１６０）。ステップ１６０で算出された記録パワーに修正する（ステップ１７０）。残りの記録データの有無を調べ、残データがない場合は終了し、ある場合はステップ１５０に戻り繰り返す（ステップ１８０、ステップ１９０）。
【００２８】
以上説明したように、本発明によると、光ディスクの識別情報と記録速度に応じた記録位置に対する記録感度係数を基に、最適記録パワーを設定する光ディスクドライブとその記録方法を提供することが可能となる。
【図面の簡単な説明】
【００２９】
【図１】本発明による方法を実行する光ディスクドライブの基本機能ブロック図。
【図２】読み出されたＲＦ信号の信号波形図。
【図３】固定記録パワーによる記録位置とβとの関係を示す記録位置対β値図。
【図４】記録速度Ｘ６ＣＬＶでスキップＯＰＣを適用した時の記録位置対β値図。
【図５】特許文献１に基づいた記録速度Ｘ６ＣＬＶにおける記録位置対β値図。
【図６】記録速度をパラメータに、固定記録パワーによる記録位置対β値図。
【図７】記録速度と半径位置とに対する記録パワーの感度係数を示す感度係数表。
【図８】図７を基に記録速度Ｘ４ＣＬＶにおける補正による記録位置対β値図。
【図９】図７を基に記録速度Ｘ６ＣＬＶにおける補正による記録位置対β値図。
【図１０】図７を基に記録速度Ｘ８ＺＣＬＶにおける補正による記録位置対β値図。
【図１１】記録速度Ｘ６ＣＬＶにおけるＸ４、Ｘ６での記録感度係数を用いたときの記録位置対β値図。
【図１２】本発明の光ディスクドライブの記録方法を示すフローチャート。
【符号の説明】
【００３０】
１  光ディスク
２  スピンドルモータ
３  光ピックアップ
４  ヘッドアンプ
５  記録パルス調整部
６  レーザ駆動部
１０  記録パワー制御手段
２０  記憶手段
３０  識別情報検出手段
４０  記録位置検出手段
５０  速度設定手段  
６０  スピンドルドライバー
１００  光ディスクドライブ
β  マーク・スペースの再生信号のアシンメトリの度合い
ＲＦｒｅｆ  ＲＦ信号の基準レベル
Ａ１  ＲＦｒｅｆレベルからピークまでの波高値
Ａ２  ＲＦｒｅｆレベルからボトムまでの波高値
ＯＰＣ  Ｏｐｔｉｍｕｍ  Ｐｏｗｅｒ  Ｃｏｎｔｒｏｌ
ＥＦＭ  Ｅｉｇｈｔ  ｔｏ  Ｆｏｕｔｅｅｎ  Ｍｏｄｕｌａｔｉｏｎ
ＣＬＶ  Ｃｏｎｓｔａｎｔ  Ｌｉｎｅａｒ  Ｖｅｌｏｃｉｔｙ
【図１】
2010118117.tif 000003
【図２】
2010118117.tif 000004
【図３】
2010118117.tif 000005
【図４】
2010118117.tif 000006
【図５】
2010118117.tif 000007
【図６】
2010118117.tif 000008
【図７】
2010118117.tif 000009
【図８】
2010118117.tif 000010
【図９】
2010118117.tif 000011
【図１０】
2010118117.tif 000012
【図１１】
2010118117.tif 000013
【図１２】
2010118117.tif 000014